(57)【要約】本発明は接着式ワッペンに関するものであり、身体の一部または衣服の選択箇所に接着する方法で使用でき、多様な形態で、立体感及び美感に優れており、所定の形状を有する軟質のベース層の一面に接着層を形成し、前記ベース層の他面には、微細なサイズに加工された樹脂材、金属材、石材、スパンクル、ガラス材及び所定の模様を有する繊維材や羽毛のいずれか１つまたは２つ以上が混合された装飾物を接着してなる。
2005519795.tif 000002
【特許請求の範囲】
【請求項１】
所定の形状を有する軟質のベース層の一面に接着層が形成され、前記ベース層の他面には、微細なサイズに加工された樹脂材、金属材、石材、スパンクル、ガラス材及び所定の模様を有する繊維材又は羽毛のいずれか１つまたは２つ以上が混合された装飾物が接着されたことを特徴とする接着式ワッペン。
【請求項２】
前記装飾物が接着される軟質のベース層の他面には、花、木、植物、動物、星座及びその他の形状が下絵として転写されたことを特徴とする請求項１に記載の接着式ワッペン。
【請求項３】
前記軟質のベース層の一面に形成された接着層には、離型紙が貼られたことを特徴とする請求項１に記載の接着式ワッペン。
【請求項４】
前記軟質のベース層に接着された装飾物の表面には、別の装飾物が着脱可能に接着されたことを特徴とする請求項１に記載の接着式ワッペン。
【請求項５】
前記軟質のベース層に接着された装飾物の表面、またはその装飾物の表面に付着された別の装飾物の表面には、装飾物保護紙が着脱可能に接着されたことを特徴とする請求項１または４のいずれか一項に記載の接着式ワッペン。
【請求項６】
前記軟質のベース層に接着された装飾物は、カラーコーティングされたことを特徴とする請求項１に記載の接着式ワッペン。
【発明の詳細な説明】
【技術分野】
【０００１】
本発明は接着式ワッペンに関するものであり、更に詳しくは、所定の形状を有する軟質のベース層の一面に接着層が形成され、前記ベース層の他面には、微細なサイズに加工された樹脂材、金属材、石材、スパンクル、ガラス材及び所定の模様を有する繊維材や羽毛のいずれか１つまたは２つ以上が混合された装飾物を接着し、それを身体の一部または衣服の選択箇所やその他ガラス及び必要部位に装飾効果のために付着して使用できるようにした接着式ワッペンに関するものである。
【背景技術】
【０００２】
一般に、身体の一部または衣服の選択箇所やその他ガラス及び必要部位などに装飾効果を与えるために使用されるワッペンは、樹脂フィルムの一面に絵や文字を印刷し、接着剤付きのワッペン（転写物）を被転写体の表面に付着した後、前記樹脂フィルムに印刷された絵や文字を加圧または加熱加圧する方法で転写して使用した。
【０００３】
そして、図１に示すように、前記ワッペン２０は、樹脂フィルムからなる離型紙２１の表面に、ゴムまたはＰＶＣを主成分とする原料で所望の文章や図柄の印刷層２２を形成し、その印刷層２２の上面にホットメルト接着剤（Hot meltadhesive）２３を形成してなる。
【０００４】
前記印刷層２２をゴムで形成するゴム転写は、合成ゴムを溶剤で溶かして離型紙２１に印刷されるものである。しかしながら、前記ゴムは、熱可塑性材質であるため、加圧過程で印刷膜が薄く形成され、繊維などに転写した後には熱を加えることができなく、また多量の揮発性溶剤を使用するため、揮発による環境汚染を引き起こし、作業者の健康に悪影響を及ぼして職業病を誘発するという問題点があるほか、衣類などに転写された状態で洗剤や紫外線などによって腐食しやすくなるという問題点がある。
【０００５】
一方、前記印刷層２２をＰＶＣ素材で形成した場合にも、該ＰＶＣは、熱溶融性材質であるため、加熱加圧による転写が不可能であり、また硬化された状態で硬質性を呈するので、表面が荒いという問題点があるのみならず、衣類などに転写された状態から離脱しやすく、しかも長期間外部に露出すると、脱色と腐食が発生して粗っぽくなるという問題点がある。
【０００６】
最近、これらのゴムやＰＶＣ材質の問題点を解決するために、耐熱性、耐湿性、耐薬品性、耐老化性、耐毒性及び電気絶縁性に優れたポリシロキサンまたはシリコンという物質を用いて衣類などに図柄や文字を形成した後、装飾用ラベルを製作し使用している。  
【０００７】
しかし、前記シリコンは接着性がないため、転写方式で布地などの被転写体への印刷が不可能であることから、前記シリコンに溶媒を加え、水またはアルコール水溶液などを加えて練り粉状態にし、これを枠に入れ一定の模様を形成すると同時に、この枠に布地(織物)を当てて加熱加圧して接着硬化させた後、枠を布地から分離する方式で装飾用ラベルを製造した。しかしながら、これは立体感がなく、しかもシリコンに加熱加圧し得る素材は繊維のような材質に限定されるので、ラベルの多様化を図ることができないという問題点がある。
【発明の開示】
【発明が解決しようとする課題】
【０００８】
本発明はこれらの従来の問題点を解消するためのものであり、その目的は、簡単な方法で容易に製造し得ることはもとより、立体感と美感に優れており、多様な形態のワッペンを製造し、身体の一部または衣服の選択箇所に接着する方法で使用できるようにした接着式ワッペンを提供することにある。
【課題を解決するための手段】
【０００９】
上記目的を達成するための本発明は、所定の形状を有する軟質のベース層の一面に接着層を形成し、前記ベース層の他面には、微細なサイズに加工された樹脂材、金属材、石材、スパンクル、ガラス材及び所定の模様を有する繊維材や羽毛のいずれか１つまたは２つ以上が混合された装飾物を接着してなることを特徴とする。
【００１０】
一方、前記装飾物が接着される軟質のベース層の他面には花、木、植物、動物、星座及びその他の形状が下絵として転写されており、前記軟質のベース層の一面に形成された接着層には離型紙がついており、前記軟質のベース層に接着された装飾物の表面には別の装飾物が着脱可能に接着されており、前記軟質のベース層に接着された装飾物の表面、またはその装飾物の表面に付着された別の装飾物の表面には、装飾物保護層が着脱可能に接着されており、前記軟質のベース層に接着された装飾物はカラーコーティングされている。
【発明の効果】
【００１１】
以上説明したように、本発明は、所定の形状を有する軟質のベース層の一面に接着層を形成し、前記ベース層の他面には、微細なサイズに加工された樹脂材、金属材、石材、スパンクル、ガラス材及び所定の模様を有する繊維材や羽毛のいずれか１つまたは２つ以上が混合された装飾物を接着し、それを身体の一部または衣服の選択箇所やその他ガラス及び必要部位に装飾効果のために付着して使用することができることから、使用が便利で且つ容易であるという特有の効果が得られる。
【発明を実施するための最良の形態】
【００１２】
以下、これらの特徴を有する本発明の接着式ワッペンを添付図を参照して詳細に説明する。
【００１３】
図２ａ及び図２ｂは本発明に係る花模様付の接着式ワッペン１１の一実施例を示す斜視図及びその斜視図のＡ−Ａ線拡大断面構成図である。同図に示すように、前記花模様付の接着式ワッペン１１は、最下部から上部へ離型紙層１１ａ、接着剤層１１ｂ、ベース層１１ｃ、花模様の転写層１１ｄ、微細なサイズに加工された樹脂材、金属材、石材、スパンクル、ガラス材のいずれか１つまたは２つ以上が混合された装飾物が接着された装飾物層１１ｅ、装飾物保護層１１ｆ、を逐次形成してなる。
【００１４】
前記ベース層１１ｃの表面に形成される花模様の転写層１１ｄは、前記微細なサイズに加工された樹脂材、金属材、石材、スパンクル、ガラス材のいずれか１つまたは２つ以上が混合された装飾物を付着する前に形成する下絵であり、前記転写層１１ｄの形成方法は通常行われている転写方法と同様である。
【００１５】
また、前記装飾物のベース層１１ｃに接着する方法は、熱に溶けても接着力を発揮できない金属材、石材、ガラス材、スパンクルなどの場合には、別途の接着剤、すなわち人体に無害な植物性接着剤や抗菌処理された化学接着剤を使用して接着し、一方、熱に溶けながら接着力を発揮する樹脂剤の場合には、加熱加圧して溶着する。但し、前記ベース層１１ｃに下絵が形成された場合には、透明な装飾物を採用することが好ましい。なぜなら、下絵を外部に表出することができるからである。
【００１６】
また、前記装飾物保護層１１ｆは、本発明の接着式ワッペン１１に接着された装飾物が流通過程中に剥離しないように保護する役割を果たすとともに、ホコリなどの付着を防止する機能を持つ。
【００１７】
上記の構成を有する前記接着式装飾物１１を身体の一部または衣服の選択箇所に付着して使用するためには、前記最下部に位置した離型紙１１ａを除去して接着剤層１１ｂを必要部位に貼着した後、最上部に位置した装飾物保護層１１ｆをはがす。かくして、前記接着式装飾物１１は一度所望の箇所に接着されると、接着剤層１１ｂの強力な接着力によって、人為的に剥離しないかぎり自然に剥がれないという長所がある。
【００１８】
図３ａ及び図３ｂは本発明に係る昆虫模様付の接着式ワッペン１２の一実施例を示す斜視図及びその斜視図のＡ−Ａ線拡大断面構成図である。同図に示すように、前記昆虫模様付の接着式ワッペン１２は、最下部から上部へ離型紙層１２ａ、接着剤層１２ｂ、ベース層１２ｃ、微細なサイズに加工された樹脂材、金属材、石材、スパンクル、ガラス材のいずれか１つまたは２つ以上が混合された装飾物が昆虫模様で接着された装飾物層１２ｄ、その装飾物層１２ｄ上に所定の模様を有する繊維材を接着してなる別の装飾物層１２ｅ、装飾物保護層１２ｆ、を順次形成してなる。
【００１９】
一方、前記繊維材を接着してなる別の装飾物層１２ｅと、微細なサイズに加工された樹脂材、金属材、石材、スパンクル、ガラス材のいずれか１つまたは２つ以上が混合された装飾物が昆虫模様で接着された装飾物層１２ｄとの間には、別途に人造装飾物（人造宝石）１２ｇを接着し、ワッペンの装飾効果を向上させることはもとより、商品価値を高めた。そして、前記所定の模様を有する繊維材としてはレース状や網状及び一般の布地のいずれか１つを使用することができる。
【００２０】
また、前記微細なサイズに加工された樹脂材、金属材、石材、スパンクル、ガラス材のいずれか１つまたは２つ以上が混合された装飾物は、昆虫の形態を明確に示すためにカラーコーティングされたそれぞれの装飾物が２色以上になるように混合して使用し、前記装飾物をベース層１２ｃに接着する方法は、人体に無害な植物性接着剤や抗菌処理された化学接着剤で接着するか、または加熱加圧して溶着する方法がある。
【００２１】
また、前記装飾物保護層１２ｆは、前記接着式ワッペン１２に接着された装飾物が流通過程中に剥離しないように保護する役割を果たすとともに、ホコリなどの付着を防止する機能を持つ。
【００２２】
上記の構成を有する前記接着式装飾物１２を身体の一部または衣服の選択箇所に付着して使用するためには、前記最下部に位置した離型紙１２ａを除去して接着剤層１２ｂを必要部位に貼着させた後、最上部に位置した装飾物保護層１２ｆをはがす。かくして、前記接着式装飾物１２は一度所望の箇所に接着されると、接着剤層１２ｂの強力な接着力によって、人為的に剥離しないかぎり自然に剥がれないという長所がある。
【００２３】
図４ａ及び図４ｂは本発明に係る羽毛模様付の接着式ワッペンの一実施例を示す斜視図及びその斜視図のＡ−Ａ線拡大断面構成図である。同図に示すように、前記羽毛模様付の接着式ワッペン１３は、最下部から上部へ離型紙層１３ａ、接着剤層１３ｂ、ベース層１３ｃ、微細なサイズに加工された樹脂材、金属材、石材、スパンクル、ガラス材のいずれか１つまたは２つ以上が混合された装飾物が接着された装飾物層１３ｄ、羽毛の一側端部層１３ｅ、装飾物保護層１３ｆ、を順次形成してなる。
【００２４】
また、前記の微細なサイズに加工された樹脂材、金属材、石材、スパンクル、ガラス材のいずれか１つまたは２つ以上を混合した装飾物が接着された装飾物層１３ｄの表面には、別途の人造装飾物（人造宝石）１３ｇを接着し、ワッペンの装飾効果を向上させることはもとより、商品価値を高めた。
【００２５】
また、前記微細なサイズに加工された樹脂材、金属材、石材、スパンクル、ガラス材のいずれか１つまたは２つ以上が混合された装飾物は、明確に示すためにカラーコーティングされたそれぞれの装飾物を２色以上になるように混合して使用し、前記羽毛も多様な色相でコーティングした。また、前記装飾物をベース層１３ｃに接着する方法は、人体に無害な植物性接着材や抗菌処理された化学接着剤で接着するか、または加熱加圧して溶着する方法がある。
【００２６】
また、前記装飾物保護層１３ｆは、上述したように本発明の接着式ワッペン１３に接着された装飾物が流通過程中に剥離しないように保護する役割をするとともに、ホコリなどの付着を防止する機能を持つ。
【００２７】
図５ａ及び図５ｂは本発明に係る衣服模様付の接着式ワッペンの一実施例を示す斜視図及びその斜視図のＡ−Ａ線拡大断面構成図であり、図６ａ及び図６ｂは本発明に係る運動靴模様付の接着式ワッペンの一実施例を示す斜視図及びその斜視図のＡ−Ａ線拡大断面構成図である。
【００２８】
同図に示すように、前記衣服模様付の接着式ワッペン１４及び前記運動靴模様付の接着式ワッペン１５は、上述した複数の接着式ワッペンと同様に、それぞれ最下部から上部へ離型紙層（１４ａ、１５ａ）、接着剤層（１４ｂ、１５ｂ）、ベース層（１４ｃ、１５ｃ）、微細なサイズに加工された樹脂材、金属材、石材、スパンクル、ガラス材のいずれか１つまたは２つ以上を混合した装飾物が接着された装飾物層（１４ｄ、１５ｄ）、装飾物保護層（１４ｆ、１５ｆ）、を順次形成してなる。
【００２９】
ここで、前記装飾物層１４ｄ、１５ｄは、ベース層１４ｃ、１５ｃの一側表面に直接形成しても良く、また装飾物層１４ｄ、１５ｄを繊維材の表面に形成した後その繊維材の他面をベース層１４ｃ、１５ｃに接着させても良い。一方、前記ベース層１４ｃ、１５ｃ及び繊維材の表面に形成される装飾物層１４ｄ、１５ｄの配列は、色相の異なる装飾物を用いて所望の模様を形成させる。
【００３０】
また、前記装飾物保護層は、上述したように、本発明の接着式ワッペン１４、１５に接着された装飾物が流通過程中に剥離しないように保護する役割をするとともに、ホコリなどの付着を防止する機能を持つ。
【００３１】
図７は本発明に係る接着式ワッペンの表面に別のワッペンが接着された状態の拡大断面構成図である。同図に示すように、前記接着式ワッペンの表面に別のワッペンが接着されたワッペン１６は、前記の実施例と同様に、最下部から上部へ離型紙層１６ａ、接着剤層１６ｂ、ベース層１６ｃ、微細なサイズに加工された樹脂材、金属材、石材、スパンクル、ガラス材のいずれか１つまたは２つ以上が混合された装飾物が接着された装飾物層１６ｄ、装飾物保護層１６ｆ、を順次形成してなるが、但し１つ追加されたのは、別途のワッペン１６ｅが前記装飾物層１６ｄの上部に必要に応じて着脱できるように接着される構成である。
【００３２】
上述した本発明のワッペンは、身体の一部または衣服の選択箇所に必要に応じて着脱できるように形成されていることから、外出時には付着して使用し、一方、洗濯時には分離して保管できるという長所がある。
【図面の簡単な説明】
【００３３】
【図１】従来の接着式ワッペン構成を示す拡大断面図である。
【図２ａ】図２ａは本発明に係る花模様付の接着式ワッペンの一実施例を示す斜視図である。
【図２ｂ】図２ｂは図２ａのＡ−Ａ線拡大断面構成図である。
【図３ａ】図３ａは本発明に係る昆虫模様付の接着式ワッペンの一実施例を示す斜視図である。
【図３ｂ】図３ｂは図３ａのＡ−Ａ線拡大断面構成図である。
【図４ａ】図４ａは本発明に係る羽毛模様付の接着式ワッペンの一実施例を示す斜視図である。
【図４ｂ】図４ｂは図４ａのＡ−Ａ線拡大断面構成図である。
【図５ａ】図５ａは本発明に係る衣服模様付の接着式ワッペンの一実施例を示す斜視図である。
【図５ｂ】図５ｂは図５ａのＡ−Ａ線拡大断面構成図である。
【図６ａ】図６ａは本発明に係る運動靴模様付の接着式ワッペンの一実施例を示す斜視図である。
【図６ｂ】図６ｂは図６ａのＡ−Ａ線拡大断面構成図である。
【図７】本発明に係る接着式ワッペンの表面に別のワッペンが接着された状態の拡大断面構成図である。
【符号の説明】
【００３４】
１１、１２、１３、１４、１５、１６  接着式ワッペン
１１ａ、１２ａ、１３ａ、１４ａ、１５ａ、１６ａ  離型紙層
１１ｂ、１２ｂ、１３ｂ、１４ｂ、１５ｂ、１６ｂ  接着剤層
１１ｃ、１２ｃ、１３ｃ、１４ｃ、１５ｃ、１６ｃ  ベース層
１１ｄ  転写層
１１ｅ、１２ｄ、１２ｅ、１３ｄ、１４ｄ、１５ｄ、１６ｄ  装飾物層
１３ｅ  羽毛端部層
１１ｆ、１２ｆ、１３ｆ、１４ｆ  装飾物保護層
【図１】
2005519795.tif 000003
【図２ａ】
2005519795.tif 000004
【図２ｂ】
2005519795.tif 000005
【図３ａ】
2005519795.tif 000006
【図３ｂ】
2005519795.tif 000007
【図４ａ】
2005519795.tif 000008
【図４ｂ】
2005519795.tif 000009
【図５ａ】
2005519795.tif 000010
【図５ｂ】
2005519795.tif 000011
【図６ａ】
2005519795.tif 000012
【図６ｂ】
2005519795.tif 000013
【図７】
2005519795.tif 000014
【国際調査報告】
2005519795.tif 000015